(57)【特許請求の範囲】
【請求項１】
ケースの内部に繰出リールと巻取リールとを配設し、前記繰出リールから繰出される転写テープを、前記ケースの一端から突出させた転写ヘッドの先端に沿って反転折曲させた後に、前記巻取リールに巻取るようにした塗膜転写具において、
前記転写ヘッドを、その先端下面を紙面等に押圧させる使用状態に位置させたときに、平面視において、転写ヘッドの先端稜線が、転写テープの走行方向に対して傾斜するような形状としたことを特徴とする塗膜転写具。
【請求項２】
転写ヘッドの先端外面における転写テープの幅方向の左右の側端部のうち、前記平面視において、転写ヘッドの先端稜線を傾斜させて、前記ケースからの突出長さを短かくした側端部の方の転写ヘッドの肉厚を、他方の側端部の転写ヘッドの肉厚よりも大きくして、転写ヘッドの先端外面の形状をほぼ三角形状または台形状としたことを特徴とする請求項１記載の塗膜転写具。
【請求項３】
転写ヘッドの先端外面の前記三角形状または台形状の形状を、前記先端外面の下辺を水平とし、その上辺のみを一定方向に傾斜させることによって得てなることを特徴とする請求項２記載の塗膜転写具。
【請求項４】
転写ヘッドの先端上面に、転写テープの走行方向に対して傾斜させた前記転写ヘッドの先端稜線とほぼ平行な上部が開口する溝部、または転写ヘッドの先端外面に、該転写ヘッドの先端下面とほぼ平行な前方が開口する溝部を設けて、転写ヘッドの先端下面を紙面等に押圧した際に、上下方向の弾性を生ぜしめるようにしたことを特徴とする請求項１〜３のいずれかに記載の塗膜転写具。
【請求項５】
転写ヘッドの先端下面を弾性部材で構成したことを特徴とする請求項１〜４のいずれかに記載の塗膜転写具。
【発明の詳細な説明】
【０００１】
【発明の属する技術分野】
本発明は、手で把持して、ケースの一端から突出させた転写ヘッドの先端下面を、紙面等に押圧しながら後方へ移動させることにより、ケースの内部に配設したリールから繰り出され、前記転写ヘッドの先端に掛合させた転写テープに塗着されている糊料もしくは修正用の塗膜を、紙面等に転写するようにした塗膜転写具に関し、特に、前記転写ヘッドの形状を改良した塗膜転写具に関する。
【０００２】
【従来の技術】
図７は、公知の代表的な塗膜転写具(100)のケースを構成する上下１対のケース部材(101)(102)を分離して、その内部を示す図である。
【０００３】
下側のケース部材(102)には、転写テープ(103)を繰り出す繰出リール(104)が、大歯車(105)と一体となって、内底面(102a)に立設された支軸(106)に枢支されている。
【０００４】
上側のケース部材(101)の内底面(101a)に立設された支軸(107)には、前記大歯車(105)と噛合する小歯車(108)と一体をなす巻取リール(109)が枢支されている。
【０００５】
転写テープ(103)は、繰出リール(104)から繰り出され、ガイドピン(110)に案内されて、ケースの一端から突出させた転写ヘッド(111)で反転折曲され、巻取リール(109)に巻取られる。
【０００６】
１対のケース部材(101)(102)は、上側のケース部材(101)の適所に立設された固定用ピン(112a)〜(112g)を、４側のケース部材(102)の対応する箇所に設けた嵌合孔(113a)〜(113g)に圧入して嵌合させることによって、一体化される。
【０００７】
図８は、図７に示した塗膜転写具(100)における転写ヘッド(111)の平面図である。
図示するように、転写ヘッド(111)の先端稜線(111a)は、平面視において、破線で示す転写テープ(103)の走行方向に対して直角をなしている。
【０００８】
【発明が解決しようとする課題】
前記従来の転写ヘッド(111)は、転写テープ(103)が転写ヘッド(111)の先端で反転折曲する際に、転写テープ(103)の幅方向の両端が同時に反転折曲して、転写テープ(103)が円滑に走行するという利点がある反面、次のような問題点がある。
【０００９】
(１) 転写ヘッド(111)を紙面等に押圧して、転写テープ(103)に塗着されている糊料もしくは修正用の塗膜を転写する際に、その塗膜を転写しようとする範囲の視認性が劣る。
【００１０】
特に、塗膜を転写しようとする範囲の末尾が、転写ヘッド(111)の先端近傍で覆い隠されているために、ともすれば、予定している範囲を越えて、塗膜を転写してしまう傾向がある。
【００１１】
(２) １回の操作で塗膜が転写される幅は、転写テープ(103)の幅と同寸の一通りに限られる。
【００１２】
本発明は、従来の転写ヘッドにおける前記のような問題点に鑑み、塗膜を転写する際の視認性を向上させるとともに、塗膜の転写幅も変更可能な転写ヘッドを有する塗膜転写具を提供することを課題とする。
【００１３】
【課題を解決するための手段】
本発明によると上記課題は、次のようにして解決される。
(１) ケースの内部に繰出リールと巻取リールとを配設し、前記繰出リールから繰出される転写テープを、前記ケースの一端から突出させた転写ヘッドの先端に沿って反転折曲させた後に、前記巻取リールに巻取るようにした塗膜転写具において、前記転写ヘッドを、その先端下面を紙面等に押圧させる使用状態に位置させたときに、平面視において、転写ヘッドの先端稜線が、転写テープの走行方向に対して傾斜するような形状にする。
【００１４】
(２) 上記(１)項において、転写ヘッドの先端外面における転写テープの幅方向の左右の側端部のうち、前記平面視において、転写ヘッドの先端稜線を傾斜させて、前記ケースからの突出長さを短かくした側端部の方の転写ヘッドの肉厚を、他方の側端部の転写ヘッドの肉厚よりも大きくして、転写ヘッドの先端外面の形状をほぼ三角形状または台形状とする。
【００１５】
(３) 上記(２)項において、転写ヘッドの先端外面の前記三角形状または台形状の形状を、前記先端外面の下辺を水平とし、その上辺のみを一定方向に傾斜させることによって得てなるものとする。
【００１６】
(４) 上記(１)〜(３)項のいずれかにおいて、転写ヘッドの先端上面に、転写テープの走行方向に対して傾斜させた前記転写ヘッドの先端稜線とほぼ平行な上部が開口する溝部、または転写ヘッドの先端外面に、該転写ヘッドの先端下面とほぼ平行な前方が開口する溝部を設けて、転写ヘッドの先端下面を紙面等に押圧した際に、上下方向の弾性を生ぜしめるようにする。
【００１７】
(５) 上記(１)〜(４)項のいずれかにおいて、写ヘッドの先端下面を弾性部材で構成する。
【００１８】
【発明の実施の形態】
以下、本発明の塗膜転写具の実施形態を、添付図面に基いて説明する。
【００１９】
図１は、本発明における転写ヘッド(１)の上方斜視図、図２は、その転写ヘッド(１)の平面図であり、図８に対応する図である。図３は、図２におけるIII−III線断面図、図４は、図２を左方より見た側面図である。
【００２０】
本発明の塗膜転写具は、それに組込まれる転写ヘッド(１)の先端の形状に特徴を有するものであり、その他のケース、繰出リール、巻取リール、転写テープ等は、従来のものがそのまま用いられる。
【００２１】
図１に示す転写ヘッド(１)を、前記した図７に示す従来の塗膜転写具(100)における転写ヘッド(111)と交換すれば、本発明の塗膜転写具が得られる。
【００２２】
転写ヘッド(１)を、下側のケース部材(102)に取付けるには、転写ヘッド(１)の筒状取付部(２)の嵌合孔(2a)に、ケース部材(102)の内底面(102a)に立設されて嵌合孔(113a)を形成する転写ヘッド固定用第１ピン(114)を嵌挿させるとともに、転写ヘッド(１)の板状取付部(３)の嵌合溝(3a)に、ケース部材(102)の内底面(102a)に立設された転写ヘッド固定用第２ピン(図示略)を嵌合させればよい。
【００２３】
本発明における転写ヘッド(１)の特徴は、転写ヘッド(１)の先端下面(４)を、紙面等に押圧させる使用状態に位置させたときに、平面視において、転写ヘッド(１)の先端稜線(６)が、転写テープ(103)の走行方向に対して傾斜するような形状としたことにある。
【００２４】
この傾斜角度は、小さ過ぎると、視認性を向上させる効果が少なく、また大き過ぎると、転写ヘッド(１)の先端において、転写テープ(103)の幅方向の片側において、弛みを生じるため通常、５度〜４０度の範囲が好ましい。
【００２５】
なお、転写ヘッド(１)の先端近傍の左右両側には、転写テープ(103)の案内板(7a)(7b)が設けられている。
【００２６】
転写ヘッド(１)の先端稜線(６)を傾斜した形状とすると、転写ヘッド(１)の先端における肉厚が一定の場合、転写テープ(103)の幅方向の片側(図２に示す転写ヘッド(１)では下側)において、転写テープ(103)と転写ヘッド(１)の先端外面(８)(図４参照)との間に、隙間が生じるために転写テープ(103)の弛みが発生して、転写ヘッド(１)の先端における転写テープ(103)の反転折曲が円滑に行なわれ難くなる。
【００２７】
これを防止するために、転写ヘッド(１)の先端稜線(６)を前記のように傾斜させた形状としたために、ケースからの突出長さが短かくなった側端部(図２に示す転写ヘッド(１)では下側)の方の転写ヘッド(１)の肉厚を、他方の側端部の転写ヘッドの肉厚よりも大きくして、転写ヘッド(１)の先端外面(８)の形状を、平面的に見て、ほぼ三角形状または台形状にしてある。
すなわち、転写ヘッド(１)の平面視における先端稜線(６)の傾斜角度に応じて、転写ヘッド(１)の先端外面(８)における左右の肉厚の差を調整した三角形状または台形状として、前記の転写テープ(103)の転写ヘッド(１)の先端における弛みが生じないように設計してある。
【００２８】
転写ヘッド(１)の先端外面(８)における前記三角形状または台形状は、先端外面(８)の下辺を水平としてその上辺のみを一定方向に傾斜するものとすることが好ましい。
【００２９】
このようにすることによって、転写ヘッド(１)の先端外面(８)における左右の肉厚が異なっていても、その影響を受けずに、塗膜転写具のケースを、従来品の場合と特に異なっているかのように傾斜させる必要がなく、従来品と同様の傾斜態様で用いることができる。
【００３０】
一方、塗膜転写具を使用する際には、紙面等に押圧させる転写ヘッド(１)の先端が、上下方向にある程度の弾性を有することが、転写テープ(103)の紙面等への押圧力をできるだけ一定に保ち、塗膜を円滑に転写させるうえで望ましい。
【００３１】
しかし、本発明における転写ヘッド(１)のように、転写ヘッド(１)の先端外面(８)において、左右の肉厚を異ならせて、一方の肉厚を大とした場合、その肉厚の大きい方は、弾性が生じ難い。
【００３２】
このための対策として、転写ヘッド(１)の先端上面に、転写テープ(103)の走行方向に対して傾斜させた前記転写ヘッド(１)の先端稜線(６)とほぼ平行に上部が開口する溝部(９)を設けてある。
【００３３】
図５は、塗膜転写具の使用の際における転写ヘッド(１)の状態を、図３に準じて示したものである。
【００３４】
転写ヘッド(１)の先端下面(４)を紙面等(５)に押圧すると、上部が開口する溝部(９)の底部(9a)の肉厚が小さいために、溝部(９)の上部の開口幅が狭まるように変形して、上下方向の弾性を生じ、紙面等(５)への押圧力が一定になるように作用する。
【００３５】
図６、図７は、第２の実施形態の転写ヘッド(１)を示し、それぞれ図３、図４に相当する図面である。この実施形態では、図３、図４に示す第１の実施形態の転写ヘッド(１)における溝部(９)に替えて、転写ヘッド(１)の先端外面(８)の下辺近くに、該転写ヘッド(１)の先端下面(４)とほぼ平行な前方が開口する溝部(９)を設けてある。
このような溝部(９)を設けても、第１の実施形態における溝部(９)の場合と同様な効果が得られる。
【００３６】
図８は、第３の実施形態の転写ヘッド(１)を示し、図５に相当する図面である。
この実施形態では、前記の溝部(９)に替えて、転写ヘッド(１)の先端下面(４)を弾性部材(10)(図８における網目線部分)で構成してある。
転写ヘッド(１)の先端下面(４)を紙面等(５)に押圧すると、弾性部材(10)の弾性作用が、前記押圧力を一定にさせる方向に働く。
【００３７】
さらに、第４の実施形態として、転写ヘッド(１)の先端上面に、前記の溝部(９)を設けるとともに、先端下面(４)を前記の弾性部材(10)で構成することもできる。
【００３８】
【発明の効果】
本発明は、次のような効果を奏する。
(１) 請求項１記載の発明によれば、使用時における平面視において、転写ヘッドの先端稜線が、転写テープの走行方向に対して傾斜しているために、紙面等における塗膜を転写させようとする部分の範囲、特にその末尾の視認性に優れ、誤って末尾を越えて過渡に塗膜を転写してしまうことを効果的に防止することができる。
【００３９】
また、転写ヘッドの先端稜線が、傾斜しているために、塗膜転写具を直立させることなく、筆記具を持つように傾斜させて修正等の転写作業が自然体でできるため作業が容易であり、かつ疲労も少ない。
【００４０】
そのため従来、末尾を越えて過度に塗膜を転写した場合に、その部分の塗膜を爪先やナイフで搾り除去していた手間を省くことができ、塗膜の転写作業を能率的に行なうことができる。
【００４１】
さらに、転写ヘッドの先端稜線が傾斜しているために、転写ヘッドの先端下面の紙面等への押圧力の大きさや、転写ヘッドの紙面等に対する傾斜角度を調節することにより、転写ヘッドの先端下面を転写テープの幅方向に部分的に紙面等に押圧させることが可能となり、同一の転写テープを用いて転写する塗膜の幅を変えることもできる。
【００４２】
請求項２記載の発明によれば、転写ヘッドの先端稜線を前記のように傾斜させた形態としても、転写ヘッドの先端における転写テープの弛みを防止し、前記先端において転写テープを円滑に反転折曲させることができる。
【００４３】
請求項３記載の発明によれば、転写ヘッドの先端外面における左右の肉厚が異なっていても、その影響を受けずに、塗膜転写具のケースを従来品の場合と、特に異なったように傾斜させる必要がなく、従来品と同様な傾斜態様で用いることができる。
【００４４】
請求項４記載の発明によれば、溝部の弾性作用により、転写ヘッドの先端下面を紙面等への押圧する圧力が一定になるように働き、転写テープから紙面等への塗膜の転写作業を円滑に能率的に行なうことができる。
【００４５】
請求項５記載の発明によれば、前記請求項４記載の発明と類似の効果が得られる。
【図面の簡単な説明】
【図１】本発明における転写ヘッドの上方斜視図である。
【図２】図１に示した転写ヘッドの平面図である。
【図３】図２におけるIII〜III線断面図である。
【図４】図２を左方より見た側面図である。
【図５】塗膜転写具の使用の際における転写ヘッドの状態を、図３に準じて示す図面である。
【図６】第２の実施形態の転写ヘッドを示し、図３に相当する図面である。
【図７】第２の実施形態の転写ヘッドを示し、図４に相当する図面である。
【図８】第３の実施形態の転写ヘッドを示し、図５に相当する図面である。
【図９】従来の塗膜転写具をケースを開いて示した斜視図である。
【図１０】図９に示した塗膜転写具における転写ヘッドの平面図である。
【符号の説明】
(１)転写ヘッド
(２)筒状取付部
(2a)嵌合孔
(３)板状取付部
(3a)嵌合溝
(４)先端下面
(５)紙面等
(６)先端稜線
(7a)(7b)案内板
(８)先端外面
(９)溝部
(9a)底部
(10)弾性部材
(100)塗膜転写具
(101)上側のケース部材
(101a)内底面
(102)下側のケース部材
(102a)内底面
(103)転写テープ
(104)繰出リール
(105)大歯車
(106)支軸
(107)支軸
(108)小歯車
(109)巻取リール
(110)ガイドピン
(111)転写ヘッド
(112a)〜(112g)固定用ピン
(113a)〜(113g)嵌合孔
(114)転写ヘッド固定用第１ピン
【図１】
0004316770.tif 000002
【図２】
0004316770.tif 000003
【図３】
0004316770.tif 000004
【図４】
0004316770.tif 000005
【図５】
0004316770.tif 000006
【図６】
0004316770.tif 000007
【図７】
0004316770.tif 000008
【図８】
0004316770.tif 000009
【図９】
0004316770.tif 000010
【図１０】
0004316770.tif 000011